(57)【要約】【課題】厚みが厚くならず、大型化せずに２種類のＩＣカードのいずれかを必要に応じて挿入できるＩＣカード用コネクタを得る。【解決手段】コネクタハウジング８内に、対向する広面と対向する挟面とでカード挿入通路１１を設ける。カード挿入通路１１に２種類のＩＣカードのいずれかを広面に平行させて挿入する。コネクタハウジング８内のカード挿入通路１１の対向する広面の一方の側の奥側と手前側とに、一方のＩＣカードの各電極に接触する奥側各コンタクト１２と、他方のＩＣカードで前後逆向きにした状態でその各電極に接触する手前側各コンタクト１３とを、前後に分けて設ける。【選択図】図２
2008091224.tif 000002
【特許請求の範囲】
【請求項１】
コネクタハウジング内に対向する広面と対向する挟面とでカード挿入通路が設けられ、前記カード挿入通路に２種類のＩＣカードのいずれかを前記広面に平行させて挿入できるＩＣカード用コネクタであって、
前記コネクタハウジング内の前記カード挿入通路の前記対向する広面の一方の側の奥側と手前側とに、一方の前記ＩＣカードの各電極に接触する奥側各コンタクトと、他方の前記ＩＣカードで前後逆向きにした状態でその各電極に接触する手前側各コンタクトとが、前後に分けられて設けられていることを特徴とするＩＣカード用コネクタ。
【請求項２】
前記コネクタハウジングは断面Ｕ字状の絶縁ケースと断面逆Ｕ字状のカバーとがそれぞれの凹部を向かい合わせて前記対向する広面と前記対向する挟面とからなる前記カード挿入通路が形成され、前記奥側各コンタクトと前記手前側各コンタクトとは前記絶縁ケースの前記広面の奥側と手前側とにインサート成形で共に組み込まれていることを特徴とする請求項１に記載のＩＣカード用コネクタ。
【請求項３】
前記奥側各コンタクトはその端子部を手前側にそれぞれ向け、反対側の前記接点部を奥側にそれぞれ向け、前記手前側各コンタクトはその端子部を奥側にそれぞれ向け、反対側の前記接点部をそれに続く部分を手前側から折り返し弾性部で折り返えすことにより奥側にそれぞれ向けて前記コネクタハウジングに組み込まれていることを特徴とする請求項２に記載のＩＣカード用コネクタ。
【請求項４】
前記コネクタハウジング内の前記カード挿入通路の前記対向する広面の一方の側には、前記カード挿入通路の前後方向の中央部に幅方向に沿って中央側窓部が設けられ、前記中央側窓部の奥側には奥側帯状部を介して奥側窓部が幅方向に沿って設けられ、前記中央側窓部の手前側には手前側帯状部を介して手前側窓部が幅方向に沿って設けられ、前記奥側各コンタクトはその各端子部を前記中央側窓部に臨ませ、その各接点部を前記奥側窓部に臨ませて前記奥側帯状部に支持され、前記手前側各コンタクトはその端子部を前記中央側窓部に臨ませ、その前記折り返し弾性部を前記手前側窓部に臨ませて前記手前側帯状部に支持されていることを特徴とする請求項３に記載のＩＣカード用コネクタ。
【発明の詳細な説明】
【技術分野】
【０００１】
本発明は、２種類のＩＣカードのいずれも必要に応じて接続できるＩＣカード用コネクタに関する。
【背景技術】
【０００２】
従来、２種類のＩＣカードを接続できるＩＣカード用コネクタとしては、下記に示すように種々の構造のものが提案されていた。
【０００３】
まず、２種類のＩＣカードの例について、図１（Ａ）（Ｂ）を参照して説明する。図１（Ａ）は第１のカード１を示し、図１（Ｂ）は第２のカード２を示している。
【０００４】
第１のカード１は、ＩＣを内蔵したカード本体３の板面の裏面に本例では８本の板状電極４が板面に沿って露出させて１列に併設されている。
【０００５】
第１のカード２は、ＩＣを内蔵したカード本体５の板面の裏面に、本例では幅が異なり長さも異なる１１本の板状電極６が板面に沿って露出させて１列に併設された構造になっている。
【０００６】
次に、このような２種類のＩＣカード１，２を必要に応じて１枚接続できるＩＣカード用コネクタ７について図８、図９及び図１０を参照して説明する。
【０００７】
図８に示すＩＣカード用コネクタ７は、コネクタハウジング８に、第１のＩＣカード１を挿入する第１のカード挿入通路９と、第２のＩＣカード２を挿入する第２のカード挿入通路１０を、コネクタハウジング８の厚み方向の上下に設けた構造になっている。このＩＣカード用コネクタ７のコネクタハウジング８内には、図示しないが第１のカード挿入通路９に臨ませて第１のカード１の各板状電極４に接触させるコンタクトと、第２のカード挿入通路１０に臨ませて第２のカード２の各板状電極６に接触させるコンタクトとが組み込まれている（例えば、特許文献１参照。）。
【０００８】
このようなＩＣカード用コネクタ７は、第１のＩＣカード１を挿入するときには第１のカード挿入通路９に挿入し、第２のＩＣカード２を挿入するときには第２のカード挿入通路１０する。
【０００９】
図９に示すＩＣカード用コネクタ７は、コネクタハウジング８に共通の１つのカード挿入通路１１を設けた構造になっている。コネクタハウジング８内には、本例ではカード挿入通路１１の下側の部分に第１のＩＣカード１に接触するコンタクトと、カード挿入通路１１の上側の部分に第２のＩＣカード２に接触するコンタクトとが組み込まれている。
【００１０】
このようなＩＣカード用コネクタ７は、第１のＩＣカード１はその板状電極４の面を上向きにしてカード挿入通路１１に挿入し、第２のＩＣカード２はその板状電極６の面を上向きにしてカード挿入通路１１に挿入する。
【００１１】
図１０に示すＩＣカード用コネクタ７は、コネクタハウジング８に、第１のＩＣカード１を挿入する第１のカード挿入通路９と、第２のＩＣカード２を挿入する第２のカード挿入通路１０を、コネクタハウジング８の幅方向の両側に設けた構造になっている。このＩＣカード用コネクタ７のコネクタハウジング８内には、図示しないが第１のカード挿入通路９に臨ませて第１のカード１の各板状電極４に接触させるコンタクトと、第２のカード挿入通路１０に臨ませて第２のカード２の各板状電極６に接触させるコンタクトとが組み込まれている。
【００１２】
このようなＩＣカード用コネクタ７は、第１のＩＣカード１を挿入するときには第１のカード挿入通路９に挿入し、第２のＩＣカード２を挿入するときには第２のカード挿入通路１０する。
【特許文献１】特開２００３−１００３６９号公報  図４
【発明の開示】
【発明が解決しようとする課題】
【００１３】
しかしながら、図８に示すＩＣカード用コネクタ７では、コネクタハウジング８の上下に第１のカード挿入通路９と第２のカード挿入通路１０を設けていたので、厚みが厚くなる問題点があった。
【００１４】
また、図９に示すＩＣカード用コネクタ７では、コネクタハウジング８内の上下両側にコンタクトを組み込んでいるので、図８に示すＩＣカード用コネクタ７程ではないが、やはり厚みが厚くなる問題点があった。
【００１５】
次に、図１０に示すＩＣカード用コネクタ７では、コネクタハウジング８の左右に第１のカード挿入通路９と第２のカード挿入通路１０を設けていたので、大型化する問題点があった。
【００１６】
本発明の目的は、厚みが厚くならず、大型化せずに２種類のＩＣカードのいずれかを必要に応じて挿入できるＩＣカード用コネクタを提供することにある。
【課題を解決するための手段】
【００１７】
上記の如き課題を解決し、所期の目的を達成する本発明のＩＣカード用コネクタの構成を説明すると、次のとおりである。
【００１８】
請求項１に記載の発明は、コネクタハウジング内に対向する広面と対向する挟面とでカード挿入通路が設けられ、前記カード挿入通路に２種類のＩＣカードのいずれかを前記広面に平行させて挿入できるＩＣカード用コネクタであって、
前記コネクタハウジング内の前記カード挿入通路の前記対向する広面の一方の側の奥側と手前側とに、一方の前記ＩＣカードの各電極に接触する奥側各コンタクトと、他方の前記ＩＣカードで前後逆向きにした状態でその各電極に接触する手前側各コンタクトとが、前後に分けられて設けられていることを特徴とする。
【００１９】
請求項２に記載の発明は、請求項１において、前記コネクタハウジングは断面Ｕ字状の絶縁ケースと断面逆Ｕ字状のカバーとがそれぞれの凹部を向かい合わせて前記対向する広面と前記対向する挟面とからなる前記カード挿入通路が形成され、前記奥側各コンタクトと前記手前側各コンタクトとは前記絶縁ケースの前記広面の奥側と手前側とにインサート成形で共に組み込まれていることを特徴とする。
【００２０】
請求項３に記載の発明は、請求項２において、前記奥側各コンタクトはその端子部を手前側にそれぞれ向け、反対側の前記接点部を奥側にそれぞれ向け、前記手前側各コンタクトはその端子部を奥側にそれぞれ向け、反対側の前記接点部をそれに続く部分を手前側から折り返し弾性部で折り返えすことにより奥側にそれぞれ向けて前記コネクタハウジングに組み込まれていることを特徴とする。
【００２１】
請求項４に記載の発明は、請求項３において、前記コネクタハウジング内の前記カード挿入通路の前記対向する広面の一方の側には、前記カード挿入通路の前後方向の中央部に幅方向に沿って中央側窓部が設けられ、前記中央側窓部の奥側には奥側帯状部を介して奥側窓部が幅方向に沿って設けられ、前記中央側窓部の手前側には手前側帯状部を介して手前側窓部が幅方向に沿って設けられ、前記奥側各コンタクトはその各端子部を前記中央側窓部に臨ませ、その各接点部を前記奥側窓部に臨ませて前記奥側帯状部に支持され、前記手前側各コンタクトはその端子部を前記中央側窓部に臨ませ、その前記折り返し弾性部を前記手前側窓部に臨ませて前記手前側帯状部に支持されていることを特徴とする。
【発明の効果】
【００２２】
本発明に係るＩＣカード用コネクタでは、コネクタハウジング内のカード挿入通路の対向する広面の一方の側の奥側と手前側とに、一方のＩＣカードの各電極に接触する奥側各コンタクトと、他方のＩＣカードで前後逆向きにした状態でその各電極に接触する手前側各コンタクトとが、前後に分けられて設けられているので、コネクタハウジングの厚みを厚くしたり、大型化せずに２組のコンタクトを組み込むことができる。
【００２３】
このようなＩＣカード用コネクタで、コネクタハウジングは断面Ｕ字状の絶縁ケースと断面逆Ｕ字状のカバーとがそれぞれの凹部を向かい合わせて対向する広面と対向する挟面とからなるカード挿入通路が形成され、奥側各コンタクトと手前側各コンタクトとは絶縁ケースの広面の奥側と手前側とにインサート成形で共に組み込まれていると、簡単にコストアップを招かずに製作することができる。
【００２４】
奥側各コンタクトはその端子部を手前側にそれぞれ向け、反対側の接点部を奥側にそれぞれ向け、手前側各コンタクトはその端子部を奥側にそれぞれ向け、手前側各コンタクトはその端子部を奥側にそれぞれ向け、反対側の接点部をそれに続く部分を手前側から折り返し弾性部で折り返えすことにより奥側にそれぞれ向けてコネクタハウジングに組み込むと、コネクタハウジングに奥側各コンタクトと手前側各コンタクトをＩＣカードの前後方向の寸法に合わせて容易に組み込むことができる。
【００２５】
コネクタハウジング内のカード挿入通路の対向する広面の一方の側には、カード挿入通路の前後方向の中央部に幅方向に沿って中央側窓部を設け、中央側窓部の奥側には奥側帯状部を介して奥側窓部を幅方向に沿って設け、中央側窓部の手前側には手前側帯状部を介して手前側窓部を幅方向に沿って設け、奥側各コンタクトはその各端子部を中央側窓部に臨ませ、その各接点部を奥側窓部に臨ませて奥側帯状部に支持させ、手前側各コンタクトはその端子部を中央側窓部に臨ませ、その折り返し弾性部を手前側窓部に臨ませて手前側帯状部に支持させると、奥側各コンタクトと手前側各コンタクトの組み込みとその端子部の露出とその可動部の逃がしを容易に行わせることができる。
【発明を実施するための最良の形態】
【００２６】
以下、本発明に係るＩＣカード用コネクタを実施するための最良の形態を、図面を参照して詳細に説明する。ここで、図２は本例のＩＣカード用コネクタの概略図、図３（Ａ）〜（Ｅ）は本例のＩＣカード用コネクタの平面図、正面図、右側面図、縦断面図、図４は図３（Ｂ）のＸ−Ｘ線断面図、図５（Ａ）〜（Ｃ）は第１のＩＣカード１の各電極４に接触する手前側各コンタクト１３の平面図、右側面図、背面図を示している。
【００２７】
本例のＩＣカード用コネクタ７は、コネクタハウジング８内に対向する広面１１ａと対向する挟面１１ｂとで１つのカード挿入通路１１が設けられている。このカード挿入通路１１に、第１のＩＣカード１と第２のＩＣカード２のいずれも必要に応じて挿入して接続できるようになっている。
【００２８】
コネクタハウジング８内のカード挿入通路１１の対向する広面１１ａの一方の側の奥側と手前側とに、一方のＩＣカード、本例では第２のＩＣカード２の各電極６に接触する奥側各コンタクト１２と、他方のＩＣカード、本例では第１のＩＣカード１で前後逆向きにした状態でその各電極４に接触する手前側各コンタクト１３とが、前後に分けられて設けられている。
【００２９】
コネクタハウジング８は絶縁ケース１４とシールドカバー１５とがそれぞれの凹部を向かい合わせて嵌め合わされ対向する広面１１ａと対向する挟面１１ｂとからなるカード挿入通路１１が形成されている。奥側各コンタクト１２と手前側各コンタクト１３とは、絶縁ケース１４の広面１１ａの奥側と手前側とにインサート成形で共に組み込まれている。奥側各コンタクト１２は絶縁ケース１４の奥側帯状部１４ａに支持され、手前側各コンタクト１３は絶縁ケース１４の手前側帯状部１４ｂに支持されている。奥側各コンタクト１２の各接点部１２ａと手前側各コンタクト１３の各接点部１３ａとは、第１のＩＣカード１と第２のＩＣカード２の挿入の障害にならないようにそれぞれの先端が奥を向くように形成されている。本例では、奥側各コンタクト１２は各接点部１２ａが奥側を向き、その基端の各端子部１２ｂが手前側を向くような向きでシンサート成型で奥側帯状部１４ａに組み込まれ、各端子部１２ｂは絶縁ケース１４の奥側帯状部１４ａと手前側帯状部１４ｂとの間の中央の窓部１４ｃから絶縁ケース１４の底面に突出されている。奥側各コンタクト１２の各接点部１２ａに対応して絶縁ケース１４の底面には奥側窓部１４ｄが形成され、いずれかのＩＣカードの挿入時に奥側窓部１４ｄに逃がし移動ができるようになっている。手前側各コンタクト１３は、その端子部１３ｂが奥側を向き、各接点部１３ａが手前側に存在するような向きでシンサート成型で手前側帯状部１４ｂに組み込まれ、各接点部１３ａを支持する部分が折り返し弾性部１３ｃとして折り返され各接点部１３ａが奥側に向けられている。折り返し弾性部１３ｃに対応して絶縁ケース１４の底面に手前側窓部１４ｅが設けられている。
【００３０】
コネクタハウジング８内には、カード挿入通路１１の脇にハートカム式ロック機構１６が組み込まれている。ハートカム式ロック機構１６は、カード挿入通路１１にいずれかのＩＣカードが挿入されたときにロックし、ロック状態のＩＣカードに再度押し込み力が加わったときにはＩＣカードをカード挿入通路１１の手前側に戻す構造になっている。本例の折り曲げ部２０ｂ基本的には、ハートカム１７が設けられていて前後にスライドするスライダー１８と、このスライダー１８上にハートカム１７の周囲と奥側に向けて設けられたガイド溝１９と、基端の折り曲げ部２０ａが絶縁ケース１４の奥側に回転自在に支持され、先端の折り曲げ部２０ｂがガイド溝１９に嵌められているロックピン２０と、基端が絶縁ケース１４の奥側に当接され、先端がスライダー１８に当接されてこのスライダー１８をカード挿入通路１１の手前側に戻すコイルスプリング２１と、スライダー１８の奥部に一体に設けられて挿入されたＩＣカードの奥側端部を受けるカード受け部２２とを備えた構造になっている。ハートカム１７の外周部分に存在するガイド溝１９の部分は、ロックピン２０の先端の折り曲げ部２０ｂが一方向にのみ回れるように各部分で底面が進行方向に傾斜面として上昇し、次の傾斜面との境界で段差部となって次の傾斜面の最低部に続くようになっている。
【００３１】
特に本例のハートカム式ロック機構１６では、コネクタハウジング８の外に突出しているスライダー１８の手前側の部分に、カード挿入通路１１の対向する広面１１ａに直交する方向に弾性的に曲がる板バネ２３が連設されている。この板バネ２３の先端に操作子２４が固定されている。操作子２４は、カード挿入通路１１側に張り出すカード押さえ部２４ａを備えている。カード押さえ部２４ａは、ＩＣカードに当たってこれを押し込める厚みを有する。
【００３２】
このようなＩＣカード用コネクタ７では、操作者の操作でＩＣカードがカード挿入通路１１に押し込まれ、このＩＣカードの押し込みによりカード受け部２２を介してスライダー１８が奥に押し込まれ、このスライダー１８の押し込み動作で、停止状態のロックピン２０の先端の折り曲げ部２０ｂが相対的に前に出て、この折り曲げ部２０ｂがハートカム１７の外周部分で両側の円弧状部がなす凹部１７ａの所に回ってきたときにスライダー１８がロックされ、ＩＣカードがカード挿入通路１１内の所定の位置に置かれ、後述するような電気的な接続になる。スライダー１８が奥に押し込まれると、コイルスプリング２１が圧縮されて蓄勢される。この状態で、ＩＣカードの外に出ている端部を再度押し込むと、カード受け部２２を介してスライダー１８が再度奥に押し込まれ、このスライダー１８の押し込み動作で、停止状態のロックピン２０の先端の折り曲げ部２０ｂが相対的に前に出て、この折り曲げ部２０ｂがハートカム１７の外周の凹部１７ａから外れて再度一方向に回り出す。この動作でロックピン２０の先端の折り曲げ部２０ｂが、前後方向に延びるガイド溝１９の直線部分に入り、コイルスプリング２１の蓄勢により、スライダー１８が手前側に戻され、ＩＣカードが外に出るのカード挿入通路１１から取り出す。
【００３３】
次に、本例の２種類のＩＣカードの挿入の仕方についてそれぞれ説明する。図６、図７はそれぞれ２種類のＩＣカード１，２をＩＣカード用コネクタに挿入した状態を示す断面図である。
【００３４】
一方のＩＣカード、本例では第１のＩＣカード１をカード挿入通路１１に挿入する場合には、この第１のＩＣカード１を図６に示すように、その各電極４を下に向けて前後逆向きにした状態でカード挿入通路１１にハートカム式ロック機構１６を用いて前述したように挿入する。第１のＩＣカード１は図１（Ａ）に示すように先端側下面に各電極４が設けられているので、前後逆向きにして（この状態では、各電極４が下向きで手前側に存在している。）カード挿入通路１１に挿入すると、各電極４が手前側各コンタクト１３に接触し、電気的に接続される。
【００３５】
次に、他方のＩＣカード、本例では第２のＩＣカード２をカード挿入通路１１に挿入する場合には、この第２のＩＣカード２を図７に示すように通常の向きでカード挿入通路１１に挿入する。第２のＩＣカード２は図１（Ｂ）に示すように先端側下面に各電極６が設けられているので、通常の向きにして（第２のＩＣカード２をその各電極６を先端下向きにして）カード挿入通路１１にハートカム式ロック機構１６を用いて前述したように挿入すると、各電極６が奥側各コンタクト１２に接触し、電気的に接続される。
【００３６】
このようなＩＣカードのカード挿入通路１１に対する、本例構造の場合の挿入操作について説明する。ＩＣカードをカード挿入通路１１に挿入するには、操作子２４のカード押さえ部２４ａが邪魔になるので、板バネ２３が曲がり易い性質を利用して操作子２４を押し下げ、一緒にカード押さえ部２４ａを下げる。この状態で、ＩＣカードをカード挿入通路１１に挿入する。操作子２４の押し下げ力を除去すると、板バネ２３の復元力で操作子２４とカード押さえ部２４ａとは、元の位置に戻る。しかる後、操作子２４を押し込むと、カード押さえ部２４ａがＩＣカードを押して、ＩＣカードをカード挿入通路１１にその奥まで押し込むことが容易にできる。
【００３７】
本例のＩＣカード用コネクタ７は、コネクタハウジング８内のカード挿入通路１１の対向する広面１１ａの一方の側の奥側と手前側とに、一方のＩＣカードの各電極に接触する奥側各コンタクト１２と、他方のＩＣカードで前後逆向きにした状態でその各電極に接触する手前側各コンタクト１３とが、前後に分けられて設けられているので、コネクタハウジング８の厚みを厚くしたり、大型化せずに２組のＩＣカードを選択的に組み込むことができる。
【００３８】
また、このようなＩＣカード用コネクタ７で、コネクタハウジング８は絶縁ケース１４とシールドカバー１５とがそれぞれの凹部を向かい合わせて、対向する広面１１ａと対向する挟面１１ｂとからなるカード挿入通路１１が形成され、奥側各コンタクト１２と手前側各コンタクト１３とは絶縁ケース１４の広面の奥側と手前側とにインサート成形で共に組み込まれているので、簡単にコストアップを招かずに製作することができる。
【００３９】
奥側各コンタクト１２はその端子部１２ｂを手前側にそれぞれ向け、反対側の接点部１２ａを奥側にそれぞれ向け、手前側各コンタクト１３はその端子部１３ｂを奥側にそれぞれ向け、反対側の接点部１３ａをそれに続く部分を手前側から折り返し弾性部１３ｃで折り返えすことにより奥側にそれぞれ向けてコネクタハウジング８に組み込むので、コネクタハウジング８に奥側各コンタクト１２と手前側各コンタクト１３をＩＣカードの前後方向の寸法に合わせて容易に組み込むことができる。
【００４０】
コネクタハウジング８内のカード挿入通路１１の対向する広面１１ａの一方の側には、カード挿入通路１１の前後方向の中央部に幅方向に沿って中央側窓部１４ｃを設け、中央側窓部１４ｃの奥側には奥側帯状部１４ａを介して奥側窓部１４ｄを幅方向に沿って設け、中央側窓部１４ｃの手前側には手前側帯状部１４ｂを介して手前側窓部１４ｅを幅方向に沿って設け、奥側各コンタクト１２はその各端子部１２ｂを中央側窓部１４ｃに臨ませ、その各接点部１２ａを奥側窓部１２ｄに臨ませて奥側帯状部１４ａに支持させ、手前側各コンタクト１３はその端子部１３ｂを中央側窓部１４ｃに臨ませ、その折り返し弾性部１３ｃを手前側窓部１４ｅに臨ませて手前側帯状部１４ｂに支持させるので、奥側各コンタクト１２と手前側各コンタクト１３の組み込みとその端子部１２ｂ，１３ｂの露出とその可動部である接点部１２ａと折り返し弾性部１３ｃの逃がしを容易に行わせることができる。
【図面の簡単な説明】
【００４１】
【図１】（Ａ）（Ｂ）は本発明で用いる２種類のＩＣカードの平面図である。
【図２】本発明に係るＩＣカード用コネクタの一例を示す概略図である。
【図３】（Ａ）〜（Ｅ）は図２中のＩＣカード用コネクタの平面図、正面図、背面図、右側面図、縦断面図である。
【図４】図３（Ｂ）のＸ−Ｘ線断面図である。
【図５】（Ａ）〜（Ｃ）は同上手前側各コンタクトの一例を示す平面図、右側面図、背面図である。
【図６】図４のＩＣカード用コネクタに第１のＩＣカードを挿入した状態を示す断面図である。
【図７】図４のＩＣカード用コネクタに第２のＩＣカードを挿入した状態を示す断面図である。
【図８】従来のＩＣカード用コネクタの一例を示す概略図である。
【図９】従来のＩＣカード用コネクタの他の一例を示す概略図である。
【図１０】従来のＩＣカード用コネクタの他の一例を示す概略図である。
【符号の説明】
【００４２】
１  第１のカード
２  第２のカード
３  カード本体
４  板状電極
５  カード本体
６  板状電極
７  ＩＣカード用コネクタ
８  コネクタハウジング
９  第１のカード挿入通路
１０  第２のカード挿入通路
１１  カード挿入通路
１１ａ  対向する広面
１１ｂ  対向する挟面
１２  奥側各コンタクト
１２ａ  接点部
１３  手前側各コンタクト
１３ａ  接点部
１３ｂ  端子部
１３ｃ  折り返し弾性部
１４  絶縁ケース
１４ａ  奥側帯状部
１４ｂ  手前側帯状部
１４ｃ  中央の窓部
１４ｄ  奥側窓部
１４ｅ  手前側窓部
１５  シールドカバー
１６  ハートカム式ロック機構
１７  ハートカム
１８  スライダー
１９  ガイド溝
２０  ロックピン
２０ａ  折り曲げ部
２０ｂ  折り曲げ部
２１  コイルスプリング
２２  カード受け部
２３  板バネ
２４  操作子
２４ａ  カード押さえ部
【図１】
2008091224.tif 000003
【図２】
2008091224.tif 000004
【図３】
2008091224.tif 000005
【図４】
2008091224.tif 000006
【図５】
2008091224.tif 000007
【図６】
2008091224.tif 000008
【図７】
2008091224.tif 000009
【図８】
2008091224.tif 000010
【図９】
2008091224.tif 000011
【図１０】
2008091224.tif 000012